(57)【特許請求の範囲】
【請求項１】
複数のキーが形成された操作パネル面上に、一側部を支点として回動自在な複数の開閉キーパネルを配設し、前記複数のキーは前記複数の開閉キーパネルの前記操作パネル面上への重合状態を検知する検知手段により機能切換可能なキーパネルであって、
前記複数の開閉キーパネルは、同一形状に形成され、上方及び下方に突出する把持部を有し、一側部の左右両端および左右略中央の支持部を、前記操作パネル面に形成される支持突起により、開閉可能に取り付けられ、一方の前記開閉キーパネルを他方の前記開閉キーパネルに対して反転して配置した状態では、前記一方の開閉キーパネル両端の支持部が、前記他方の開閉キーパネル両端の支持部とそれぞれ係合可能とされ、
前記検知手段は、前記何れかの支持部の近傍に配置され、前記操作パネル面から伸縮可能に突出して、前記開閉キーパネルにより押下可能とされ、前記各開閉キーパネルによりオン・オフされる前記検知手段がそれぞれ設けられる、
ことを特徴とするキーパネル。
【発明の詳細な説明】
【０００１】
【発明の属する技術分野】
本発明は、通信端末装置や画像読取装置等の操作パネル面に設けられるキーパネルの構造に関する。
【０００２】
【従来の技術】
近年、通信端末装置や画像読取装置等の機器においては、多機能化に伴い操作パネル面上に設けられる操作キーの数が増加する傾向にあるが、操作キーの数が多くなりすぎると、操作パネル面が大型化したり、キー操作を間違いやすくなったりという問題がでてくる。
このような問題に対処するため、操作キーが設けられる操作パネル面上に、開閉操作により操作パネル面に重合するパネル板を取り付けて、パネル板の重合状態により操作キーの機能切換を可能とし、該操作キーに複数の機能を具備させるようにしている。例えば、通信端末装置の場合、操作キーには、複数の相手先に対応するワンタッチダイヤル機能を割り付けるようにしている。
そして、操作キーの機能切換は、パネル板を重合させたときに、操作パネル面に設けた検知手段を該パネル板で押下することにより行うようにしていた。
また、前記パネル板を設けた操作パネルにおいて、特に、操作パネルの一部を切り欠いて、プリンタから操作パネルの下方へ排出される記録紙を目視確認できるようにしたものでは、操作パネル面に配置できるキーが制約されてしまう場合がある。そこで、このような場合には、小さな面積でも多くのキーを配置することができるように、長尺形状のパネル板が用いられることがある。
【０００３】
【発明が解決しようとする課題】
しかし、樹脂により構成される前記パネル板を長尺形状に形成した場合、反りが生じやすい。そして、反りが生じた状態でパネル板を操作パネル面に重合させると、検知手段をパネル板で押下することができずに、パネル板の重合状態を正確に認識することができない場合があった。この場合、例えば、操作キーにワンタッチダイヤル機能を割り付けた場合には、誤った相手先に送信されてしまうこととなってしまう。
そこで、パネル板の重合状態を正確に認識することができるキーパネルが望まれていた。
【０００４】
【課題を解決するための手段】
本発明は、以上のような課題を解決すべく、次のような手段を用いるものである。即ち、請求項１記載の発明においては、複数のキーが形成された操作パネル面上に、一側部を支点として回動自在な複数の開閉キーパネルを配設し、前記複数のキーは前記複数の開閉キーパネルの前記操作パネル面上への重合状態を検知する検知手段により機能切換可能なキーパネルであって、前記複数の開閉キーパネルは、同一形状に形成され、上方及び下方に突出する把持部を有し、一側部の左右両端および左右略中央の支持部を、前記操作パネル面に形成される支持突起により、開閉可能に取り付けられ、一方の前記開閉キーパネルを他方の前記開閉キーパネルに対して反転して配置した状態では、前記一方の開閉キーパネル両端の支持部が、前記他方の開閉キーパネル両端の支持部とそれぞれ係合可能とされ、前記検知手段は、前記何れかの支持部の近傍に配置され、前記操作パネル面から伸縮可能に突出して、前記開閉キーパネルにより押下可能とされ、前記各開閉キーパネルによりオン・オフされる前記検知手段がそれぞれ設けられる。
【０００７】
【発明の実施の形態】
本発明の実施の形態を、添付の図面より説明する。図１は本発明のキーパネルが操作パネルに適用される画像読取装置を備えたファクシミリ装置装置を示す斜視図、図２は操作パネルを示す平面図、図３は操作パネルに取り付けられた状態の開閉キーパネルを示す平面図、図４は同じく側面図、図５は開閉キーパネルの開閉状態を示す側面図、図６は開閉キーパネルの開閉検知機構を示す側面断面図、図７は操作パネルに取り付ける前の開閉キーパネルを示す平面図、図８は開閉キーパネルの反りの状態を示す正面図、図９は開閉キーパネルの把持部を示す側面図である。
【０００８】
本発明のキーパネルを、画像読取装置を備えたファクシミリ装置の操作パネルに適用した適用した例について説明する。
まず、該ファクシミリ装置の概略構成について、図１により説明する。
ファクシミリ装置Ｆは、記録部１の上方に読取部２を配置して構成されており、該記録部１においては、記録装置３及び給紙カセット４がそれぞれ上下に内装されて、給紙カセット４内に堆積される用紙を記録装置３へ給紙して記録した後に、記録紙排出トレイ５から排出するように構成している。
【０００９】
一方、読取部２においては、読取ケース１３内に原稿等の内容を読み取るための読取装置を収納しており、該読取ケース１３上面に載置された原稿を該読取装置により走査して、読み取りを行うようにしている
また、読取ケース１３の上方には、その一辺を中心として開閉可能に構成される原稿押えカバー７が配置され、該原稿押えカバー７により読取ケース１３上面に載置された原稿を上方から押えるものとしている。
【００１０】
さらに、原稿押えカバー７の一端部には原稿を自動的に給紙する自動給紙装置（ＡＤＦ装置）８が付設され、原稿供給トレイ９に載置した原稿を自動給紙装置８により一枚ずつピックアップして、搬送装置１２により読取ケース１３上面の一端部へ搬送し、静止状態の読取装置により内容を読み取った後に、原稿押えカバー７の上面に形成される原稿排出トレイ１０へ排出するように構成している。
【００１１】
即ち、読取部２は、読取装置を走査させて静止原稿を読み取るフラットベッドタイプのスキャナとして用いるとともに、読取装置を位置固定して原稿を給送しながら読み取りを行うシートフィードタイプのスキャナとして用いることができるように構成されている。
【００１２】
また、読取ケース１３の一側方には操作パネル１５が付設され、該操作パネル１５の各種操作キーを操作することにより、原稿内容の読み取りを行ったり、読み取った内容をファクシミリ送信する際の送信先の設定を行ったり、受信内容や読み取った内容の記録装置３による記録を行ったりするようにしている。
【００１３】
次に、操作パネル１５について説明する。図２に示すように、操作パネル１５上のパネル面１５ａには各種の操作キー等が設けられている。
例えば、原稿内容のファクシミリ送信等を開始する際に操作するスタートキー２１、これらの動作を途中で停止する際等に操作するストップ／クリアキー２２、ファクシミリ送信先へのダイヤルの際等に操作するテンキー２３、ファクシミリ装置Ｆの各種設定や操作の内容の選択・決定を行うカーソルキー２６、ファクシミリ送信の相手先や複数の操作手順を予め登録して、ワンタッチでファクシミリ送信やその他の様々な操作を行う複数のワンタッチキー２９ａ・２９ａ・・・及びワンタッチキー２９ｂ・２９ｂ・・・、並びにファクシミリ装置Ｆの動作状態や設定状態等を表示する表示器２７等が設けられている。
【００１４】
複数のワンタッチキー２９ａ・２９ａ・・・及びワンタッチキー２９ｂ・２９ｂ・・・は、例えば、図２に示すように、それぞれ左右に並設され、該ワンタッチキー２９ａ・２９ａ・・・とワンタッチキー２９ｂ・２９ｂ・・・とは上下２段に配置されている。
ワンタッチキー２９ａ・２９ａ・・・及びワンタッチキー２９ｂ・２９ｂ・・・が設けられる部分には開閉キーパネル３１・３２が配設されている。
【００１５】
図２乃至図４に示すように、開閉キーパネル３１・３２は、左右端部の端部支持部３１ａ・３２ａ及び略中央部の中央支持部３１ｂ・３２ｂを、それぞれパネル面１５ａの支持突起１５ｂ・１５ｃにより回動自在に支持されており、パネル面１５ａに対して開閉可能に取り付けられている。
【００１６】
ここで、開閉キーパネル３１が閉じた状態とは、該開閉キーパネル３１がワンタッチキー２９ｂ側へ下方回動してパネル面１５ａに重合した状態をいい、開閉キーパネル３１が開いた状態とは、開閉キーパネル３１が上方回動してパネル面１５ａと重合していない状態、若しくはワンタッチキー２９ｂ側まで回動して閉じた開閉キーパネル３２に重合した状態をいう。
【００１７】
また、開閉キーパネル３２が閉じた状態とは、該開閉キーパネル３２がワンタッチキー２９ｂ側へ下方回動してパネル面１５ａに重合した状態をいい、開閉キーパネル３２が開いた状態とは、開閉キーパネル３２が上方回動してパネル面１５ａと重合していない状態、若しくはワンタッチキー２９ｂ側まで回動して閉じた開閉キーパネル３１に重合した状態をいう。
即ち、例えば開閉キーパネル３２が閉じた状態は、図５（ｂ）及び図５（ｃ）に示す状態であり、開いた状態は、図４及び図５（ａ）に示す状態である。開閉キーパネル３１の開閉状態も同様である。
【００１８】
また、開閉キーパネル３１・３２の配設部分におけるパネル面１５ａからは、重合状態検出ピン３７・３８が伸縮可能に突出しており、該重合状態検出ピン３７・３８は、開閉キーパネル３１・３２の左右略中央位置に配置されている。
図６に示すように、重合状態検出ピン３７・３８（図６には重合状態検出ピン３７のみを示している）の下方には切換センサ３６が配設されており、該切換センサ３６の接当ピン３６ａにより重合状態検出ピン３７・３８が上方付勢されている。
【００１９】
開閉キーパネル３１・３２が開いた状態のときには重合状態検出ピン３７・３８は伸長状態で、切換センサ３６は例えばオフされている。逆に、開閉キーパネル３１・３２が閉じると、重合状態検出ピン３７・３８は該開閉キーパネル３１・３２により押下されて縮小し、さらに重合状態検出ピン３７・３８によって切換センサ３６の接当ピン３６ａが下方に押下され、該切換センサ３６がオンされる。
そして、開閉キーパネル３１によりオン・オフされる切換センサ３６が、オン状態とオフ状態とを切り換えられることによりワンタッチキー２９ａ・２９ａ・・・の機能が切り換えられ、開閉キーパネル３２によりオン・オフされる切換センサ３６が、オン状態とオフ状態とを切り換えられることにより、ワンタッチキー２９ｂ・２９ｂ・・・の機能が切り換えられるように構成している。
【００２０】
そして、開閉キーパネル３１側の切換センサ３６及び開閉キーパネル３２側の切換センサ３６のオン・オフ状態は、図５（ａ）の如く、開閉キーパネル３１が閉じて該開閉キーパネル３１側の切換センサ３６がオンされるとともに、開閉キーパネル３２が開いて該開閉キーパネル３２側の切換センサ３６がオフされた状態と、図５（ｂ）の如く、開閉キーパネル３１が開いて該開閉キーパネル３１側の切換センサ３６がオフされるとともに、開閉キーパネル３２が閉じて該開閉キーパネル３２側の切換センサ３６がオンされた状態と、図５（ｃ）の如く、開閉キーパネル３１及び開閉キーパネル３２の両方が閉じて該開閉キーパネル３１側の切換センサ３６と開閉キーパネル３１側の切換センサ３６との両方がオンされた状態とを、取り得る。
【００２１】
また、開閉キーパネル３１・３２の長手方向の略中央部、且つ短手方向の先端部下面には重り部材５１が取り付けられている。該重り部材５１は、例えば板金部材により構成されている。さらに、パネル面１５ａにおける、開閉キーパネル３１・３２が閉じた状態での重り部材５１に対応する位置には、磁石５２が埋設されている。
【００２２】
このように、開閉キーパネル３１・３２に重り部材５１を取り付けることで、該開閉キーパネル３１・３２は、下方回動して閉じる際に、重り部材５１の重量により下方に押圧され、確実に重合状態検出ピン３７・３８を押下して切換センサ３６をオンすることが可能となっている。
【００２３】
また、重り部材５１を板金部材等の磁力により吸引される部材で構成し、パネル面１５ａに磁石５２を設けることで、開閉キーパネル３１・３２が閉じる際に、重り部材５１がパネル面１５ａの磁石５２に吸引され、該開閉キーパネル３１・３２が確実にパネル面１５ａに重合して閉じることとなる。
特に、重り部材５１を板金部材等で構成することで、低コストで確実に切換センサ３６をオンさせて、開閉キーパネル３１・３２のパネル面１５ａとの重合状態を検知することができるようにすることができる。
【００２４】
尚、本例では、重り部材５１は開閉キーパネル３１・３２の長手方向の略中央部に設けられているが、開閉キーパネル３１・３２の長手方向の略全域に渡って設けることもできる。
さらに、開閉キーパネル３１・３２の左右略中央に設けられる重合状態検出ピン３７・３８を、左右端部に配置することも可能である。
また、重合状態検出ピン３７・３８は、開閉キーパネル３１・３２の回動支点としてのヒンジ部である中央支持部３１ｂ・３２ｂ、又は端部支持部３１ａ・３２ａの近傍に設けられることとなるので、開閉キーパネル３１・３２を閉じたときに該開閉キーパネル３１・３２が浮くことがなく、確実に重合状態検出ピン３７・３８を押し下げることができる。
これにより、開閉キーパネル３１・３２の重合状態を検知することができなくて誤った相手先に送信が行われてしまうといったような不具合の発生を防止することができる。
【００２５】
また、開閉キーパネル３１及び開閉キーパネル３２には同一の部材を用いており、図７に示すように、開閉キーパネル３１に対して開閉キーパネル３２を水平方向に略１８０度回転させた状態で、両キーパネル３１・３２を配置している。そして、開閉キーパネル３１・３２は、開閉キーパネル３１の端部支持部３１ａにおける支持ピン３１ｃを、開閉キーパネル３２の端部支持部３２ａにおける支持孔３２ｄに挿入するとともに、開閉キーパネル３２の端部支持部３２ａにおける支持ピン３２ｃを、開閉キーパネル３１の端部支持部３１ａにおける支持孔３１ｄに挿入し、支持孔３２ｄの外側に突出する支持ピン３１ｃ、及び支持孔３１ｄの外側に突出する支持ピン３２ｃを、パネル面１５ａの支持突起１５ｂ・１５ｂによりそれぞれ支持することで、開閉キーパネル３１・３２をパネル面１５ａに取り付けている。
【００２６】
即ち、開閉キーパネル３１と開閉キーパネル３２とは同一形状に形成され、一方の開閉キーパネル３１を他方の開閉キーパネル３２に対して反転して配置した状態では、該開閉キーパネル３１両端部の端部支持部３１ａ・３１ａと開閉キーパネル３２両端部の端部支持部３２ａ・３２ａの回動支点部とが連接される位置に、該端部支持部３１ａ・３２ａが配置されている。
そして、開閉キーパネル３１・３２の一端部における端部支持部３１ａ・３２ａには、係合突起である支持ピン３１ｃ・３２ｃが形成され、他端部における端部支持部３１ａ・３２ａには、係合凹部である支持孔３１ｄ・３２ｄが形成されて、該支持ピン３１ｃと支持孔３２ｄとが、及び支持ピン３２ｃと支持孔３１ｄとが係合可能とされている。
【００２７】
以上の如く、本例の操作パネル１５においては、複数のワンタッチキー２９ａ・２９ｂを併設し、複数の開閉キーパネル３１・３２を設けているので、省スペース化を図りつつ、ワンタッチキー２９ａ・２９ｂに複数の宛先を登録する等、複数の機能を具備させることができる。
また、開閉キーパネル３１・３２は同一形状に形成されているため、同一部材を用いることができ、低コスト化を図ることができる。
さらに、開閉キーパネル３１・３２には、支持ピン３１ｃ・３２ｃが形成されるとともに、該支持ピン３１ｃ・３２ｃと係合可能な支持孔３２ｄ・３１ｄが形成されているので、該支持ピン３１ｃ・３２ｃと支持孔３２ｄ・３１ｄとを係合させて、開閉キーパネル３１と開閉キーパネル３２とを連結した状態で操作パネル１５に取り付けることができ、開閉キーパネル３１・３２の組み付けを容易にすることができる。
【００２８】
また、開閉キーパネル３１・３２は樹脂により構成されており、長尺形状に形成されているので反りが生じやすい。従って、両端部のみをパネル面１５ａにより支持すると、図８に仮想線で示す如く上に凸の反りが生じて、開閉キーパネル３１・３２を閉じても重合状態検出ピン３７・３８を押下することができずに、開閉キーパネル３１・３２の重合状態を検知できない場合がある。
しかし、本例の開閉キーパネル３１・３２においては、長手方向の略中央部に、ヒンジ部としての中央支持部３１ｂ・３２ｂが形成され、該中央支持部３１ｂ・３２ｂがパネル面１５ａ上に回動自在に支持されており、該中央支持部３１ｂ・３２ｂは、開閉キーパネル３１・３２を互いに反転した姿勢で配置した際に、連接する位置に配置されているので、図８に実線で示す如く、開閉キーパネル３１・３２に反りが生じて浮いてしまうことはなく、確実に重合状態検出ピン３７・３８を押下することができる。これにより、切換センサ３６がオンされずに誤った相手先に送信がされてしまうといったような誤りを防止することができる。
【００２９】
また、図８、図９に示すように、開閉キーパネル３１・３２の一端部には、上方及び下方に突出する把持部３１ｅ・３２ｅがそれぞれ形成されており、開閉キーパネル３１・３２の開閉操作を行うときには、該把持部３１ｅ・３２ｅを把持して開閉キーパネル３１・３２を開閉するようにしている。
該把持部３１ｅ・３２ｅは上方及び下方に突出しているので、開閉キーパネル３１・３２が閉じている状態から開くときと、開いている状態から閉じるときとの両方の場合に把持することができ、開閉操作を容易にすることができる。
また、把持部３１ｅ・３２ｅの外側面には複数の突起部３１ｇ・３２ｇが形成されている。該突起部３１ｇ・３２ｇは、把持部３１ｅ・３２ｅを把持しての開閉操作時に滑り止めとして作用し、誤操作を防止することができる。
【００３０】
尚、本例においては、ファクシミリ装置Ｆに適用される操作パネル１５を例として説明したが、これに限定するものではなく、複数種類の操作キーを有する各種機器の操作パネルに適用することもできる。
【００３１】
本発明は、以上のような構成とすることで、次のような効果を奏する。
開閉キーパネルを閉じたときに該キーパネルが浮くことがなく、確実に重合状態検出ピンを押し下げることができる。
これにより、開閉キーパネルの重合状態を検知することができなくて誤った相手先に送信が行なわれてしまうといった不具合の発生を防止することができる。
また、省スペース化を図りつつ、ワンタッチキーに複数の宛先を登録する等、複数の機能を具備させることができる。また、複数の開閉キーパネルに同一部材を用いることができ、低コスト化を図ることができる。
また、開閉キーパネルが閉じている状態から開くときと、開いている状態から閉じるときとの両方の場合に把持することができ、開閉操作を容易にすることができる。
【図面の簡単な説明】
【図１】本発明のキーパネルが操作パネルに適用される画像読取装置を備えたファクシミリ装置装置を示す斜視図である。
【図２】操作パネルを示す平面図である。
【図３】操作パネルに取り付けられた状態の開閉キーパネルを示す平面図である。
【図４】同じく側面図である。
【図５】開閉キーパネルの開閉状態を示す側面図である。
【図６】開閉キーパネルの開閉検知機構を示す側面断面図である。
【図７】操作パネルに取り付ける前の開閉キーパネルを示す平面図である。
【図８】開閉キーパネルの反りの状態を示す正面図である。
【図９】開閉キーパネルの把持部を示す側面図である。
【符号の説明】
Ｆ  ファクシミリ装置
１５  操作パネル
２９ａ・２９ｂ  ワンタッチキー
３１・３２  開閉キーパネル
３６  切換センサ
３７・３８  重合状態検出ピン
５１  重り部材
５２  磁石
【図１】
0003685034.tif 000002
【図２】
0003685034.tif 000003
【図３】
0003685034.tif 000004
【図４】
0003685034.tif 000005
【図５】
0003685034.tif 000006
【図６】
0003685034.tif 000007
【図７】
0003685034.tif 000008
【図８】
0003685034.tif 000009
【図９】
0003685034.tif 000010